(57)【要約】  水栓根元部への水漏れを抑制しうる湯水混合栓の提供。  湯水混合栓（１０）は、湯供給孔（８０）、水供給孔（８２）及び排出孔（８４）を有する固定弁体（６２）と、湯水混合凹部（９４）を有しており固定弁体（６２）上を摺動する可動弁体（６０）と、固定弁体（６２）の下側に配置され、湯導入孔（７０）、水導入孔（７２）及び吐出孔（７４）を有する下ケース（６８）と、固定弁体（６２）と下ケース（６８）との間に配置されたインナーシール部材（６４）と、固定弁体（６２）と下ケース（６８）との間に形成された隙間部（ｇ１）と、固定弁体（６２）と下ケース（６８）との間をシールする固定弁シール部材（６６）と、を備えている。下ケース（６８）は、隙間部（ｇ１）と吐出孔（７４）との間を連通する排水路（ｄ１）を有している。
2020059031.tif 000002
【特許請求の範囲】
【請求項１】
湯供給孔、水供給孔及び排出孔を有する固定弁体と、  流路形成凹部を有しており、前記固定弁体上を摺動する可動弁体と、  前記固定弁体の下側に配置され、湯導入孔、水導入孔及び吐出孔を有する下ケースと、  前記固定弁体と前記下ケースとの間において、前記湯供給孔と前記湯導入孔との間、前記水供給孔と前記水導入孔との間、及び、前記排出孔と前記吐出孔との間をシールするインナーシール部材と、  前記固定弁体と前記下ケースとの間に形成された隙間部と、  前記固定弁体と前記下ケースとの間をシールする固定弁シール部材と、  を備えており、  前記下ケースが、前記隙間部と前記吐出孔との間を連通する排水路を有している湯水混合栓。
【請求項２】
前記隙間部の圧力が所定値以下であると前記排水路を閉塞し、前記隙間部の圧力が所定値を超えると前記排水路を解放するリリーフ弁が更に設けられている請求項１に記載の湯水混合栓。
【請求項３】
前記排水路が、前記下ケースを上下方向に貫通しており、  前記リリーフ弁が、前記排水路の延在方向に沿って上下方向に動くように設けられている請求項２に記載の湯水混合栓。
【請求項４】
前記排水路が、前記隙間部に面する入口と、前記入口から延びる第１部分と、前記第１部分とは異なる向きに延びる第２部分とを有しており、  前記リリーフ弁が、前記第２部分の延在方向に沿って動くように設けられている請求項２に記載の湯水混合栓。
【請求項５】
前記固定弁シール部材がリップパッキンである請求項１から４のいずれか１項に記載の湯水混合栓。
【請求項６】
湯供給孔、水供給孔及び排出孔を有する固定弁体と、  流路形成凹部を有しており、前記固定弁体上を摺動する可動弁体と、  前記固定弁体の下側に配置され、湯導入孔、水導入孔及び吐出孔を有する下ケースと、  前記固定弁体と前記下ケースとの間において、前記湯供給孔と前記湯導入孔との間、前記水供給孔と前記水導入孔との間、及び、前記排出孔と前記吐出孔との間をシールするインナーシール部材と、  前記固定弁体と前記下ケースとの間に形成された隙間部と、  前記固定弁体と前記下ケースとの間をシールするリップパッキンと、  を備えている湯水混合栓。
【発明の詳細な説明】
【技術分野】
【０００１】  本開示は、湯水混合栓に関する。
【背景技術】
【０００２】  固定弁体と、この固定弁体上を摺動する可動弁体とを有するシングルレバー式の湯水混合栓が知られている。固定弁体の下側には、固定弁体に形成された各孔と、当該固定弁体の下側に設けられた部材との間をシールするシール部材が設けられる。シール部材の劣化等に起因して、水漏れが生じうる。特許第５６７６１６３号公報は、漏出集合手段を有しており、この漏出集合手段により、漏れ水は吐出管に誘導され、吐水口から排出される。このため、水漏れの状況が速やかに認識され、シール部材の交換が促される。
【先行技術文献】
【特許文献】
【０００３】
【特許文献１】特許第５６７６１６３号公報
【発明の概要】
【発明が解決しようとする課題】
【０００４】  特許第５６７６１６３号公報では、漏れ水は、シール部を通過して、吐出管に導かれる。つまり、漏れ水を回収するため、シール性を有すべきシール部に、漏れ水を通過させている。よって、シール部に本来必要なシール性が高められると、漏れ水が回収されにくい。漏れ水を回収するためにシール部材のシール性を低下させると、かえって当該シール部材からの水漏れが増加しうる。【０００５】  漏れ水は、水栓内部の空間を満たした後、レバーハンドルの下側から水栓の外部に溢れ出す。溢れ出した漏れ水は、水栓の外壁を伝って流れ落ち、水栓根元部に溜まる。水栓根元部とは、水栓本体と水栓設置部（流し台など）との境界部を意味する。溜まった水は、この水栓根元部を腐食させる。【０００６】  本開示は、水栓根元部への水漏れを抑制しうる湯水混合栓に関する。
【課題を解決するための手段】
【０００７】  一つの態様では、湯水混合栓は、湯供給孔、水供給孔及び排出孔を有する固定弁体と、流路形成凹部を有しており、前記固定弁体上を摺動する可動弁体と、前記固定弁体の下側に配置され、湯導入孔、水導入孔及び吐出孔を有する下ケースと、前記固定弁体と前記下ケースとの間をシールする固定弁シール部材と、前記固定弁体と前記下ケースとの間において、前記湯供給孔と前記湯導入孔との間、前記水供給孔と前記水導入孔との間、及び、前記排出孔と前記吐出孔との間をシールするインナーシール部材と、前記固定弁体と前記下ケースとの間に形成された隙間部と、を備えている。前記下ケースが、前記隙間部と前記吐出孔との間を連通する排水路を有している。【０００８】  他の態様では、湯水混合栓は、湯供給孔、水供給孔及び排出孔を有する固定弁体と、流路形成凹部を有しており、前記固定弁体上を摺動する可動弁体と、前記固定弁体の下側に配置され、湯導入孔、水導入孔及び吐出孔を有する下ケースと、前記固定弁体と前記下ケースとの間をシールするリップパッキンと、前記固定弁体と前記下ケースとの間において、前記湯供給孔と前記湯導入孔との間、前記水供給孔と前記水導入孔との間、及び、前記排出孔と前記吐出孔との間をシールするインナーシール部材と、前記固定弁体と前記下ケースとの間に形成された隙間部と、を備えている。
【発明の効果】
【０００９】  一つの側面では、水栓根元部への水漏れが抑制される。
【図面の簡単な説明】
【００１０】
【図１】図１は、第１実施形態に係る湯水混合栓の斜視図である。
【図２】図２は、図１の湯水混合栓におけるバルブ組立体及びその近傍の断面図である。
【図３】図３は、図２のバルブ組立体の分解斜視図である。
【図４】図４は、第１実施形態に係る固定弁体の斜視図である。
【図５】図５は、第１実施形態に係る固定弁体の平面図である。
【図６】図６は、第１実施形態に係る固定弁体の底面図である。
【図７】図７は、第１実施形態に係る下ケースの斜視図である。
【図８】図８は、第１実施形態に係る下ケースの平面図である。
【図９】図９は、第１実施形態に係る下ケースの底面図である。
【図１０】図１０は、図８のＡ−Ａ線に沿った断面図である。
【図１１】図１１（ａ）は第１実施形態に係る固定弁シール部材の斜視図であり、図１１（ｂ）はその側面図であり、図１１（ｃ）は図１１（ｂ）のｃ−ｃ線に沿った断面図である。
【図１２】図１２は、第２実施形態の湯水混合栓におけるバルブ組立体及びその近傍の断面図である。
【図１３】図１３は、図１２のバルブ組立体の分解斜視図である。
【図１４】図１４は、第２実施形態に係る固定弁体の平面図である。
【図１５】図１５は、第２実施形態に係る固定弁体の底面図である。
【図１６】図１６は、第２実施形態に係る下ケースの斜視図である。
【図１７】図１７は、第２実施形態に係る下ケースの平面図である。
【図１８】図１８は、第２実施形態に係る下ケースの側面図である。
【図１９】図１９は、図１８のＡ−Ａ線に沿った断面図である。
【図２０】図２０（ａ）は第２実施形態に係る固定弁シール部材の平面図であり、図２０（ｂ）はその側面図であり、図２０（ｃ）は図２０（ｂ）のｃ−ｃ線に沿った断面図である。
【図２１】図２１は、第３実施形態の湯水混合栓におけるバルブ組立体及びその近傍の断面図である。
【発明を実施するための形態】
【００１１】  以下、適宜図面が参照されつつ、実施形態が詳細に説明される。なお以下では、「水」及び「湯」との文言が用いられる。湯供給孔からの液体と水供給孔からの液体とを区別する観点から、必要に応じて、「湯」と「水」とが使い分けられる。一方、湯供給孔からの液体と水供給孔からの液体とを総称して「水」としている記載もある。
【００１２】  図１は、一実施形態に係る湯水混合栓１０の斜視図である。湯水混合栓１０は、水栓本体１２、レバーハンドル１４、吐出部１６、湯導入管１８、水導入管２０及び吐出管２２を有する。吐出部１６は、ヘッド２４を有する。ヘッド２４は、切替レバー２６を有する。この切替レバー２６の操作により、シャワー吐出と通常吐出との切り替えが可能である。湯水混合栓１０は、例えば、キッチン、洗面台等で使用される。
【００１３】  ヘッド２４は、切替ボタン２８と表示部３０と吐水口３２とを有する。吐出部１６には、浄水カートリッジ（図示されず）が内蔵されている。切替ボタン２８により、浄水カートリッジを透過する流路と、浄水カートリッジを透過しない流路とが切り換えられる。浄水カートリッジを透過する流路に切り換えられると、浄水が吐出される。浄水カートリッジを透過しない流路に切り換えられると、原水が吐出される。表示部３０は、吐水が浄水か原水かを表示する。
【００１４】  レバーハンドル１４の前後回動（上下動）により、レバー前後位置が変化する。レバー前後位置により、吐出量の調整が可能である。本実施形態では、レバーハンドル１４を上側に動かすほど吐出量が増加し、レバーハンドル１４を下側に動かすほど吐出量が減少し、レバーハンドル１４を最も下側にすると止水される。レバー左右位置に拘わらず、レバーハンドル１４が最も下側にあるとき、止水状態となる。逆に、レバーハンドル１４を下側に動かすほど吐出量が増加してもよい。レバーハンドル１４の左右回動により、レバー左右位置が変化する。レバー左右位置により、湯と水との混合割合が変化する。レバー左右位置により、吐水温度の調整が可能である。
【００１５】  図２は、バルブ組立体３８及びその近傍を示す縦断面図である。図３は、バルブ組立体３８の分解斜視図である。湯水混合栓１０において、バルブ組立体３８は交換可能である。
【００１６】  水栓本体１２は、側面壁部１２ａと、底面壁部１２ｂとを有する。側面壁部１２ａと底面壁部１２ｂとで、バルブ組立体３８を収容する収容部１３が形成されている。また水栓本体１２は、バルブ組立体３８を上側から押さえる上側部材１２ｃを有する。上側部材１２ｃは雄ネジ部を有しており、この雄ネジ部が側面壁部１２ａの内面に設けられた雌ネジ部とネジ結合されている。上側部材１２ｃは、バルブ組立体３８を上側から押さえることで、バルブ組立体３８を収容部１３に固定している。上側部材１２ｃの押圧力は、インナーシール部材６４（後述）を圧縮している
【００１７】  バルブ組立体３８は、湯水混合栓１０の本体１２に内蔵されている。バルブ組立体３８は、移動体４０、上ケース４２、回動体４４、レバー４６、レバー回転軸４８、左右クリック用弾性部材５０、左右クリック用当接体５２、前後クリック用当接体５６、前後クリック用弾性部材５８、可動弁体６０、固定弁体６２、インナーシール部材６４、固定弁シール部材６６、下シール部材６７、下ケース６８及びリリーフ弁ｖ１を有する。レバーハンドル１４は、レバー４６に固定されている。
【００１８】  前後クリック用当接体５６及び前後クリック用弾性部材５８は、移動体４０に取り付けられている。前後クリック用当接体５６は、前後クリック用弾性部材５８（ねじりバネ）に付勢されつつ、レバー４６の側面に設けられた前後クリック用係合部（図示されず）に当接している。この前後クリック用係合部は、凹凸を有している。この当接に起因して、レバー４６の前後回動に伴うクリック感が生じる。
【００１９】  左右クリック用当接体５２及び左右クリック用弾性部材５０は、回動体４４に取り付けられている。左右クリック用当接体５２は、左右クリック用弾性部材５０（板バネ）に付勢されつつ、左右クリック用係合部（図示されず）に当接しうる。左右クリック用係合部は、上ケース４２の内面に設けられている。当接体５２と左右クリック用係合部との当接に起因して、レバー４６の左右回動に伴うクリック感が生じる。
【００２０】  下ケース６８は、湯導入孔７０、水導入孔７２及び吐出孔７４を有する。図示されないが、底面壁部１２ｂには、これら湯導入孔７０、水導入孔７２及び吐出孔７４のそれぞれに対応した開口が設けられており、これらの開口のそれぞれに、湯導入管１８、水導入管２０及び吐出管２２が接続されている。
【００２１】  インナーシール部材６４は、湯孔シール部６４ａと、水孔シール部６４ｂと、排出孔シール部６４ｃとを有する。本実施形態では、湯孔シール部６４ａ、水孔シール部６４ｂ及び排出孔シール部６４ｃがそれぞれ独立している。湯孔シール部６４ａ、水孔シール部６４ｂ及び排出孔シール部６４ｃのそれぞれは、円筒状の部材である。本実施形態では、インナーシール部材６４が、３つの部材によって構成されている。インナーシール部材６４は、１つの部材によって構成されていてもよい。この場合、インナーシール部材６４は、３つの環状部が一体化された部材とされうる。インナーシール部材６４は、固定弁体６２を下方から支持しつつ、固定弁体６２を可動弁体６０に押し付けている。インナーシール部材６４は圧縮されて弾性変形しており、この弾性変形に伴う反力が、固定弁体６２を可動弁体６０に押し付けている。
【００２２】  固定弁体６２は、下ケース６８に収容されている。下ケース６８は、上側に突出する外周壁部７５と、固定弁体６２を固定する弁体係合部７６と、上ケース４２を固定するための係合凸部７７とを有する。外周壁部７５が、固定弁体６２の周囲を取り囲んでいる。外周壁部７５の内周面７５ａが、固定弁体６２の外周面１１０に対向している。外周壁部７５の内周面７５ａが、固定弁体６２の外周面１１０に、摺動可能に接している。固定弁体６２の下面には、弁体係合部７６と係合する係合凸部７８（後述の図６参照）が設けられている。
【００２３】  固定弁体６２は、湯供給孔８０、水供給孔８２及び排出孔８４を有する。湯供給孔８０は、固定弁体６２を貫通している。湯供給孔８０は、下ケース６８の湯導入孔７０に接続されている。この接続は、湯孔シール部６４ａでシールされている。水供給孔８２は、固定弁体６２を貫通している。水供給孔８２は、下ケース６８の水導入孔７２に接続されている。この接続は、水孔シール部６４ｂでシールされている。排出孔８４は、固定弁体６２を貫通している。排出孔８４は、下ケース６８の吐出孔７４に接続されている。この接続は、排出孔シール部６４ｃでシールされている。
【００２４】  固定弁体６２において、供給孔８０，８２は左右非対称に配置されている。レバー左右位置が正面位置にあるとき、水のみが吐出される。すなわち、レバー左右位置が正面位置にあるとき、水吐出状態が達成される。この構成は、湯の節約に寄与し、省エネルギー性を高める。供給孔８０，８２は左右対称に配置されていてもよい。
【００２５】  可動弁体６０は、上側部材８６と、下側部材８８とを有する。上側部材８６は、下側部材８８に固定されている。この固定は、凸部９０と凹部９２との係合によって達成されている。本実施形態では、上側部材８６と下側部材８８とが互いに別部材である。別部材とすることで、上側部材８６と下側部材８８とのそれぞれにおいて、最適な材質及び製法が選択されうる。可動弁体６０は全体として一体的に成形されていてもよい。
【００２６】  可動弁体６０（下側部材８８）の下面には、流路形成凹部９４が形成されている（図２参照）。流路形成凹部９４は、下方に向かって開口している。流路形成凹部９４の上方は閉じている。
【００２７】  固定弁体６２の上面には、第１摺動面ＰＬ１が設けられている（図４参照）。一方、下側部材８８（可動弁体６０）の下面には、第２摺動面ＰＬ２が設けられている。第１摺動面ＰＬ１と第２摺動面ＰＬ２との面接触により、水密状態が確保されている。
【００２８】  上側部材８６の上面には、レバー４６の下端９５と係合するレバー係合凹部９８が設けられている。レバー４６の下端９５は、このレバー係合凹部９８に挿入されている（図２参照）。レバー４６（レバーハンドル１４）の動きに連動して、可動弁体６０が固定弁体６２の上を摺動する。レバーハンドル１４の左右回動に連動して、可動弁体６０は回転する。レバーハンドル１４の前後回動に連動して、可動弁体６０は移動し、可動弁体６０の流路形成凹部９４も移動する。
【００２９】  流路形成凹部９４が湯供給孔８０及び／又は水供給孔８２と排出孔８４とに重複することで、吐水状態が達成される。吐水状態は、混合吐出状態、湯吐出状態及び水吐出状態を含む。流路形成凹部９４が湯供給孔８０及び水供給孔８２に重複しているとき、混合吐出状態が達成される。混合吐出状態では、湯供給孔８０からの湯と水供給孔８２からの水とが混合される。流路形成凹部９４が、湯供給孔８０のみに重複し、水供給孔８２に重複していないとき、湯吐出状態が達成される。湯吐出状態では、湯供給孔８０からの湯のみが吐出され、水供給孔８２からの水は吐出されない。流路形成凹部９４が、水供給孔８２のみに重複し、湯供給孔８０に重複していないとき、水吐出状態が達成される。水吐出状態では、水供給孔８２からの水のみが吐出され、湯供給孔８０からの湯は吐出されない。流路形成凹部９４が湯供給孔８０及び水供給孔８２に重複していないとき、止水状態が達成される。
【００３０】  レバー４６は、軸孔１００を有する。この軸孔１００に、レバー回転軸４８が挿通されている。図２では、レバー回転軸４８が省略されている。
【００３１】  回動体４４は、基部１０２と上部１０４とを有する。上部１０４は、レバー挿入孔１０６と、軸孔１０８とを有する。基部１０２は、可動弁体６０（の上側部材８６）に、スライド可能に取り付けられている。
【００３２】  レバー４６がレバー挿入孔１０６に挿入されており、このレバー４６の軸孔１００と、回動体４４の軸孔１０８とが同軸で配置されている。これら軸孔１００及び軸孔１０８に、レバー回転軸４８が挿入されている。レバー回転軸４８の挿入により、レバー４６は、前後回動可能な状態で、回動体４４に固定される。レバー挿入孔１０６の寸法は、レバー４６の前後回動を許容しうるように設定されている。なお本願では、レバー回転軸４８を回転軸とするレバー４６の回動及びそれに伴うレバーハンドル１４の回動が、「前後回動」とも称される。
【００３３】  移動体４０は、回動体４４に、上下移動が可能な状態で保持されている。移動体４０は、回動体４４に対して上下移動のみが可能であり、回動体４４に対して相対回転することはできない。移動体４０は、レバーハンドル１４の左右回動に連動して回動体４４と共に回転し、且つこの回転に連動して上下移動しうるように構成されている。この移動体４０の上下移動は、移動体４０と上ケース４２との間で形成されたカム機構によって達成されている。移動体４０の内面には、内面凸部（図示されず）が形成されている。このカム機構は、移動体４０に形成された内面凸部と、上ケース４２に設けられた溝１１２（図２及び図３参照）との係合によって構成されている。図３が示すように、この溝１１２は曲がって延在している。この溝１１２に沿って前記内面凹部が動くことで、移動体４０は回転しながら上下移動する。移動体４０が上側に移動すると、前後クリックに係る係合（当接体５６と前後クリック用係合部との係合）が解除される。移動体４０が下側に移動すると、この前後クリックに係る係合が達成される。
【００３４】  移動体４０は、回動体４４に対する相対回転が不能な状態で、回動体４４に保持されている。移動体４０は、回動体４４とともに回転する。レバーハンドル１４、レバー４６、移動体４０及び回動体４４は、一緒に回転する。
【００３５】  図３が示すように、上ケース４２は、小径円筒部１２０と、大径円筒部１２２と、連結部１２４とを有する。連結部１２４は、上ケース４２の半径方向に延在している。小径円筒部１２０は、上方開口１２６を有する。大径円筒部１２２は、下方開口１２８を有する。前述の溝１１２は、小径円筒部１２０の外周面に設けられている。
【００３６】  大径円筒部１２２は、係合凹部１３０を有する。この係合凹部１３０が、下ケース６８の係合凸部７７と係合している。この係合により、上ケース４２は、下ケース６８に固定されている。
【００３７】  回動体４４の上部１０４の円周面部の外径は、小径円筒部１２０の内径に略等しい。回動体４４の上部１０４は、小径円筒部１２０に、回転可能な状態で保持されている。この回転では、上部１０４の外周面と、小径円筒部１２０の内周面とが摺動する。大径円筒部１２２は、回動体４４の基部１０２、可動弁体６０及び固定弁体６２を収容している。
【００３８】  図４は固定弁体６２を上側から見た斜視図であり、図５は固定弁体６２の平面図であり、図６は、固定弁体６２の底面図である。
【００３９】  前述の通り、固定弁体６２は、湯供給孔８０、水供給孔８２及び排出孔８４を有する。また、固定弁体６２の上面は、第１摺動面ＰＬ１を有する。
【００４０】  湯供給孔８０は、上開口線８０ａを有する。この上開口線８０ａは、第１摺動面ＰＬ１における湯供給孔８０の輪郭線である。上開口線８０ａは、湯供給孔８０の上開口の輪郭線である。
【００４１】  水供給孔８２は、上開口線８２ａを有する。この上開口線８２ａは、第１摺動面ＰＬ１における水供給孔８２の輪郭線である。上開口線８２ａは、水供給孔８２の上開口の輪郭線である。
【００４２】  排出孔８４は、上開口線８４ａを有する。この上開口線８４ａは、第１摺動面ＰＬ１における排出孔８４の輪郭線である。上開口線８４ａは、排出孔８４の上開口の輪郭線である。
【００４３】  固定弁体６２は、回収溝１４０を有している。回収溝１４０は、第１摺動面ＰＬ１に設けられている。回収溝１４０は、固定弁体６２の周方向の全体（３６０°）に亘って設けられている。回収溝１４０は、湯供給孔８０の径方向外側に位置する。回収溝１４０は、水供給孔８２の径方向外側に位置する。回収溝１４０は、排出孔８４の径方向外側に位置する。回収溝１４０は、排出孔８４のみに繋がっている。回収溝１４０は、湯供給孔８０及び水供給孔８２からの漏れ水を効果的に補足しうる。回収溝１４０は、補足した水を排出孔８４に流す。
【００４４】  なお、固定弁体６２において、周方向及び径方向は、次のように定義される。先ず、固定弁体６２の最小包含円ＣＬ１が定義される。最小包含円ＣＬ１は、その内側に固定弁体６２の全体を含む円のうち、半径が最小の円である。最小包含円ＣＬ１は、図５のような平面図において決定される。この平面図は、第１摺動面ＰＬ１と平行な平面への、固定弁体６２の投影図である。本実施形態では、最小包含円ＣＬ１は、固定弁体６２の外周面１１０の外径に等しい。本願における径方向とは、この最小包含円ＣＬ１の半径方向である。本願における周方向とは、この最小包含円ＣＬ１の周方向である。
【００４５】  図７は下ケース６８の斜視図であり、図８は下ケース６８の平面図であり、図９は下ケース６８の底面図であり、図１０は図８のＡ−Ａ線に沿った断面図である。
【００４６】  前述の通り、下ケース６８の湯導入孔７０は、固定弁体６２の湯供給孔８０に接続されている。下ケース６８の水導入孔７２は、固定弁体６２の水供給孔８２に接続されている。下ケース６８の吐出孔７４は、固定弁体６２の排出孔８４に接続されている。これらの接続は、インナーシール部材６４により達成されている（図３参照）。
【００４７】  下ケース６８の上面は、インナーシール部材６４に対応した形状を有する。図７及び図８が示すように、下ケース６８の上面は、シール下当接部１５０を有する。シール下当接部１５０は、湯導入孔周囲部１５０ａと、水導入孔周囲部１５０ｂと、吐出孔周囲部１５０ｃとを有する。湯導入孔周囲部１５０ａは、湯導入孔７０の周囲に形成されている。水導入孔周囲部１５０ｂは、水導入孔７２の周囲に形成されている。吐出孔周囲部１５０ｃは、吐出孔７４の周囲に形成されている。
【００４８】  湯導入孔周囲部１５０ａは、底面１５２と側面１５４とを有する。底面１５２は、湯孔シール部６４ａの下端面に接触している。側面１５４は、湯孔シール部６４ａの側面に接触している。水導入孔周囲部１５０ｂは、底面１５６と側面１５８とを有する。底面１５６は、水孔シール部６４ｂの下端面に接触している。側面１５８は、水孔シール部６４ｂの側面に接触している。吐出孔周囲部１５０ｃは、底面１６０と側面１６２とを有する。底面１６０は、排出孔シール部６４ｃの下端面に接触している。側面１６２は、排出孔シール部６４ｃの側面に接触している。
【００４９】  固定弁体６２の下面も、インナーシール部材６４に対応した形状を有する。図６が示すように、固定弁体６２の下面は、シール上当接部１７０を有する。シール上当接部１７０は、湯供給孔周囲部１７０ａと、水供給孔周囲部１７０ｂと、排出孔周囲部１７０ｃとを有する。湯供給孔周囲部１７０ａは、湯供給孔８０の周囲に形成されている。水供給孔周囲部１７０ｂは、水供給孔８２の周囲に形成されている。排出孔周囲部１７０ｃは、排出孔８４の周囲に形成されている。
【００５０】  湯供給孔周囲部１７０ａは、底面１７２と側面１７４とを有する。底面１７２は、湯孔シール部６４ａの上端面に接触している。側面１７４は、湯孔シール部６４ａの側面に接触している。水導入孔周囲部１７０ｂは、底面１７６と側面１７８とを有する。底面１７６は、水孔シール部６４ｂの上端面に接触している。側面１７８は、水孔シール部６４ｂの側面に接触している。吐出孔周囲部１７０ｃは、底面１８０と側面１８２とを有する。底面１８０は、排出孔シール部６４ｃの上端面に接触している。側面１８２は、排出孔シール部６４ｃの側面に接触している。
【００５１】  固定弁シール部材６６は、固定弁体６２の外周面に配置されている。固定弁シール部材６６は、湯孔シール部６４ａ、水孔シール部６４ｂ及び排出孔シール部６４ｃの外側において隙間部ｇ１をシールする環状のシール部材である。図４が示すように、固定弁体６２には、固定弁シール部材６６が装着される段差部１８４が設けられている。この段差部１８４は、固定弁体６２の外周面の下部に設けられている。段差部１８４は、外周面１１０よりも半径が小さい円周面を構成している。この段差部１８４に固定弁シール部材６６が装着されている（図２参照）。固定弁シール部材６６は、固定弁体６２と下ケース６８との間をシールしている。固定弁シール部材６６は、固定弁体６２の段差部１８４と、下ケース６８の外周壁部７５の内周面７５ａとの間をシールしている。
【００５２】  図１０が示すように、下ケース６８は、排水路ｄ１を有する。排水路ｄ１は、貫通孔である。排水路ｄ１は、入口１８６と出口１８８とを有する。排水路ｄ１は、下ケース６８を上下方向に貫通している。排水路ｄ１の中心線は、上下方向に沿っている。
【００５３】  図３が示すように、下シール部材６７は、外周シール部材１９０と、湯導入孔シール部材１９２と、水導入孔シール部材１９４とを有する。図２が示すように、外周シール部材１９０は、側面壁部１２ａと下ケース６８との間をシールしている。湯導入孔シール部材１９２は、湯導入孔７０の入口開口の周囲に設けられたシール配置部１９６に配置される（図９参照）。図示されないが、湯導入孔シール部材１９２は、水栓本体１２の底面壁部１２ｂに形成された湯孔と湯導入孔７０との接続部をシールしている。水導入孔シール部材１９４は、水導入孔７２の入口開口の周囲に設けられたシール配置部１９８に配置される（図９参照）。図示されないが、水導入孔シール部材１９４は、水栓本体１２の底面壁部１２ｂに形成された水孔と水導入孔７２との接続部をシールしている。
【００５４】  図２が示すように、固定弁体６２と下ケース６８との間に、隙間部ｇ１が形成されている。隙間部ｇ１は、固定弁体６２と下ケース６８との間に設けられている。隙間部ｇ１は、固定弁体６２の下面と下ケース６８の上面との間に設けられている。図６が示すように、固定弁体６２の下面は、平面ＰＬ４を有している。図７及び図８が示すように、下ケース６８の上面は、平面ＰＬ５を有している。平面ＰＬ５は、平面ＰＬ４に対向している。隙間部ｇ１は、平面ＰＬ４と平面ＰＬ５との間の空間を含む。排水路ｄ１の入口１８６は、平面ＰＬ５に設けられている（図７参照）。入口１８６は、隙間部ｇ１に面している。入口１８６において、排水路ｄ１は、隙間部ｇ１に繋がっている。
【００５５】  隙間部ｇ１は、インナーシール部材６４の存在に起因して形成されている。インナーシール部材６４は、固定弁体６２と下ケース６８とに挟まれて圧縮されている。この圧縮は、弾性変形である。弾性変形に伴う反力により、隙間部ｇ１が維持されている。
【００５６】  インナーシール部材６４は、隙間部ｇ１に面している。図２に示されるように、排出孔シール部６４ｃは隙間部ｇ１に面している。排出孔シール部６４ｃの外面が、隙間部ｇ１に面している。図２では示されていないが、湯孔シール部６４ａも隙間部ｇ１に面しており、水孔シール部６４ｂも隙間部ｇ１に面している。湯孔シール部６４ａからの漏れ水は、隙間部ｇ１に流れ込む。水孔シール部６４ｂからの漏れ水は、隙間部ｇ１に流れ込む。
【００５７】  排水路ｄ１は、隙間部ｇ１に繋がっている。排水路ｄ１の入口１８６は、隙間部ｇ１に面している。漏れ水は、隙間部ｇ１から排水路ｄ１へと流れうる。排水路ｄ１の出口１８８は、吐出孔７４に連通している（図９参照）。排水路ｄ１は、吐出孔７４から下流に延びる水路に繋がっている。出口１８８を出た漏れ水は、吐出孔７４を出た水と同じく、吐出部１６を経て吐水口３２から排出される。
【００５８】  排水路ｄ１には、リリーフ弁ｖ１が設けられている（図２及び図３参照）。
【００５９】  図３がよく示すように、リリーフ弁ｖ１は、弁軸２００、シール部材２０２、弾性体２０４及び止め輪２０６を有する。弁軸２００は、ピンである。シール部材２０２は、Ｏリングである。弾性体２０４は、コイルバネである。弁軸２００には、止め輪２０６が装着されている。止め輪２０６は、Ｃ型止め輪である。
【００６０】  図２の拡大部がよく示すように、弁軸２００は、頭部２００ａと、中間軸部２００ｂと、周溝２００ｃとを有する。頭部２００ａの上側に中間軸部２００ｂが位置し、中間軸部２００ｂの上側に周溝２００ｃが位置する。頭部２００ａの外径は、中間軸部２００ｂの外径よりも大きい。周溝２００ｃに、止め輪２０６が装着されている。
【００６１】  図１０が示すように、排水路ｄ１は、小径部ｄ１１、中径部ｄ１２及び及び大径部ｄ１３を有する。小径部ｄ１１が、排水路ｄ１の最も下側の部分を構成している。小径部ｄ１１の上側に中径部ｄ１２が形成されている。中径部ｄ１２の上側に大径部ｄ１３が形成されている。大径部ｄ１３は、排水路ｄ１の最も上側の部分を構成している。小径部ｄ１１、中径部ｄ１２及び大径部ｄ１３は同軸である。小径部ｄ１１の内径は、中径部ｄ１２の内径よりも小さい。中径部ｄ１２の内径は、大径部ｄ１３の内径よりも小さい。小径部ｄ１１の内径は、中間軸部２００ｂの外径よりも（若干）大きい。中径部ｄ１２の内径は、自然状態におけるコイルバネ２０４の外径よりも大きい。小径部ｄ１１と中径部ｄ１２との境界には、段差面２０８が形成されている。
【００６２】  図２の拡大部が示すように、弁軸２００は、頭部２００ａを下側として、下側から排水路ｄ１に挿入されている。排水路ｄ１に挿入する前に、弁軸２００に、シール部材２０２が装着される。シール部材２０２に中間軸部２００ｂを挿通することで、弁軸２００にシール部材２０２が装着される。この弁軸２００を下側から排水路ｄ１に挿入する。この挿入状態において、弾性体２０４が中間軸部２００ｂに挿通され、更に止め輪２０６が周溝２００ｃに装着される。このようにして、リリーフ弁ｖ１が排水路ｄ１に取り付けられる。なお、見やすさの観点から、図２の拡大部では、入口１８６の近傍の線が削除されている。
【００６３】  リリーフ弁ｖ１では、シール部材２０２が、出口１８８の周囲の当接面２１０と頭部２００ａとの間に位置する。弾性体２０４は、段差面２０８と止め輪２０６との間に位置する。弾性体２０４の下端は段差面２０８に当接している。弾性体２０４の上端は止め輪２０６に当接している。弾性体２０４は、圧縮コイルバネである。弾性体２０４は、常時、止め輪２０６を上側に付勢している。すなわち、弾性体２０４は、常時、弁軸２００を上側に付勢している。この付勢により、シール部材２０２は、当接面２１０と頭部２００ａとに押し付けられている。シール部材２０２は当接面２１０と頭部２００ａとに密着している。これらの密着により、リリーフ弁ｖ１は閉じられている。
【００６４】  前述の通り、インナーシール部材６４からの水漏れが生じうる。水漏れは、主として、内部水圧が高い湯孔シール部６４ａ及び水孔シール部６４ｂから生じる。固定弁シール部材６６により、隙間部ｇ１は密閉されている。隙間部ｇ１に流出する漏れ水が増加すると、隙間部ｇ１における圧力（水圧）は上昇する。隙間部ｇ１における圧力（内圧）は、リリーフ弁ｖ１の受圧面に作用する。本実施形態では、この受圧面は、弁軸２００の先端部の表面である。この受圧面が受ける力（下方への力）が、弾性体２０４の付勢力（上方への力）を超えると、弁軸２００が下方に移動し、シール部材２０２の上記密着が解除される。すなわち、リリーフ弁ｖ１の受圧面が受ける力が、弾性体２０４の付勢力を超えると、リリーフ弁ｖ１が開く。リリーフ弁ｖ１が開くと、漏れ水が排水路ｄ１を通過し、吐水口３２から排出される。この排出により、隙間部ｇ１内の圧力が下がると、再びリリーフ弁ｖ１は閉じる。
【００６５】  図１１（ａ）は固定弁シール部材６６の斜視図であり、図１１（ｂ）は固定弁シール部材６６の側面図であり、図１１（ｃ）は図１１（ｂ）のｃ−ｃ線に沿った断面図である。
【００６６】  固定弁シール部材６６は、環状である。本実施形態では、固定弁シール部材６６は、リップパッキンである。隙間部ｇ１からの水圧により、固定弁シール部材６６は変形する。この変形により、シール性が高まる。
【００６７】  図１２は、第２実施形態に係るバルブ組立体２３８及びその近傍を示す縦断面図である。図１３は、バルブ組立体２３８の分解斜視図である。
【００６８】  第２実施形態に係るバルブ組立体２３８は、第１実施形態のバルブ組立体３８と同じく、水栓本体１２に収容されている。排水路及びリリーフ弁の構成を除き、バルブ組立体２３８の構造は、バルブ組立体３８と同じである。このため、バルブ組立体２３８の説明では、バルブ組立体３８と同じ符号を付し、説明を適宜省略する。
【００６９】  バルブ組立体２３８は、湯水混合栓１０の本体１２に内蔵されている。バルブ組立体２３８は、移動体４０、上ケース４２、回動体４４、レバー４６、レバー回転軸４８、左右クリック用弾性部材５０、左右クリック用当接体５２、前後クリック用当接体５６、前後クリック用弾性部材５８、可動弁体６０、固定弁体６２、インナーシール部材６４、固定弁シール部材６６、下シール部材６７、下ケース２６８及びリリーフ弁ｖ２を有する。レバーハンドル１４は、レバー４６に固定されている。
【００７０】  下ケース２６８は、湯導入孔７０、水導入孔７２及び吐出孔７４を有する。図示されないが、底面壁部１２ｂには、これら湯導入孔７０、水導入孔７２及び吐出孔７４のそれぞれに対応した開口が設けられており、これらの開口のそれぞれに、湯導入管１８、水導入管２０及び吐出管２２が接続されている。
【００７１】  インナーシール部材６４は、湯孔シール部６４ａと、水孔シール部６４ｂと、排出孔シール部６４ｃとを有する。本実施形態では、湯孔シール部６４ａ、水孔シール部６４ｂ及び排出孔シール部６４ｃがそれぞれ独立している。湯孔シール部６４ａ、水孔シール部６４ｂ及び排出孔シール部６４ｃのそれぞれは、円筒状の部材である。インナーシール部材６４は、固定弁体６２を下方から支持しつつ、固定弁体６２を可動弁体６０に押し付けている。インナーシール部材６４は圧縮されて弾性変形しており、この弾性変形に伴う反力が、固定弁体６２を可動弁体６０に押し付けている。
【００７２】  固定弁体６２は、下ケース２６８に収容されている。下ケース６８は、固定弁体６２の周囲に位置する外周壁部７５と、固定弁体６２を固定する弁体係合部７６と、上ケース４２を固定するための係合凸部７７とを有する。外周壁部７５の内周面７５ａが、固定弁体６２の外周面１１０に、摺動可能に接している。固定弁体６２の下面には、弁体係合部７６と係合する係合凸部７８が設けられている。
【００７３】  固定弁体６２は、湯供給孔８０、水供給孔８２及び排出孔８４を有する。湯供給孔８０は、固定弁体６２を貫通している。湯供給孔８０は、下ケース２６８の湯導入孔７０に接続されている。水供給孔８２は、固定弁体６２を貫通している。水供給孔８２は、下ケース２６８の水導入孔７２に接続されている。排出孔８４は、固定弁体６２を貫通している。排出孔８４は、下ケース２６８の吐出孔７４に接続されている。
【００７４】  可動弁体６０は、上側部材８６と、下側部材８８とを有する。上側部材８６は、下側部材８８に固定されている。
【００７５】  可動弁体６０の下面には、流路形成凹部９４が形成されている。流路形成凹部９４は、下方に向かって開口している。流路形成凹部９４の上方は閉じている。
【００７６】  固定弁体６２の上面には、第１摺動面ＰＬ１が設けられている。一方、下側部材８８（可動弁体６０）の下面には、第２摺動面ＰＬ２が設けられている。第１摺動面ＰＬ１と第２摺動面ＰＬ２との面接触により、水密状態が確保されている。
【００７７】  上側部材８６の上面には、レバー４６の下端９５と係合するレバー係合凹部９８が設けられている。レバー４６の下端９５は、このレバー係合凹部９８に挿入されている。レバー４６（レバーハンドル１４）の動きに連動して、可動弁体６０が固定弁体６２の上を摺動する。レバーハンドル１４の左右回動に連動して、可動弁体６０は回転する。レバーハンドル１４の前後回動に連動して、可動弁体６０は移動し、可動弁体６０の流路形成凹部９４も移動する。
【００７８】  レバー４６は、軸孔１００を有する。この軸孔１００に、レバー回転軸４８が挿通されている。図１２では、レバー回転軸４８が省略されている。
【００７９】  回動体４４は、基部１０２と上部１０４とを有する。上部１０４は、レバー挿入孔１０６と、軸孔１０８とを有する。基部１０２は、可動弁体６０の上側部材８６に、スライド可能に取り付けられている。
【００８０】  図１４は固定弁体６２の平面図であり、図１５は、固定弁体６２の底面図である。
【００８１】  前述の通り、固定弁体６２は、湯供給孔８０、水供給孔８２及び排出孔８４を有する。また、固定弁体６２の上面は、第１摺動面ＰＬ１を有する。
【００８２】  湯供給孔８０は、上開口線８０ａを有する。水供給孔８２は、上開口線８２ａを有する。排出孔８４は、上開口線８４ａを有する。
【００８３】  図１６は下ケース２６８の斜視図であり、図１７は下ケース２６８の平面図であり、図１８は下ケース２６８の側面図であり、図１９は図１８のＡ−Ａ線に沿った断面図である。
【００８４】  下ケース２６８の湯導入孔７０は、固定弁体６２の湯供給孔８０に接続されている。下ケース２６８の水導入孔７２は、固定弁体６２の水供給孔８２に接続されている。下ケース２６８の吐出孔７４は、固定弁体６２の排出孔８４に接続されている。これらの接続は、インナーシール部材６４により達成されている（図１３参照）。
【００８５】  下ケース２６８の上面は、インナーシール部材６４に対応した形状を有する。図１６及び図１７が示すように、下ケース２６８の上面は、シール下当接部１５０を有する。シール下当接部１５０は、湯導入孔周囲部１５０ａと、水導入孔周囲部１５０ｂと、吐出孔周囲部１５０ｃとを有する。湯導入孔周囲部１５０ａは、湯導入孔７０の周囲に形成されている。水導入孔周囲部１５０ｂは、水導入孔７２の周囲に形成されている。吐出孔周囲部１５０ｃは、吐出孔７４の周囲に形成されている。
【００８６】  湯導入孔周囲部１５０ａは、底面１５２と側面１５４とを有する。底面１５２は、湯孔シール部６４ａの下端面に接触している。側面１５４は、湯孔シール部６４ａの側面に接触している。水導入孔周囲部１５０ｂは、底面１５６と側面１５８とを有する。底面１５６は、水孔シール部６４ｂの下端面に接触している。側面１５８は、水孔シール部６４ｂの側面に接触している。吐出孔周囲部１５０ｃは、底面１６０と側面１６２とを有する。底面１６０は、排出孔シール部６４ｃの下端面に接触している。側面１６２は、排出孔シール部６４ｃの側面に接触している。
【００８７】  固定弁体６２の下面も、インナーシール部材６４に対応した形状を有する。図１５が示すように、固定弁体６２の下面は、シール上当接部１７０を有する。シール上当接部１７０は、湯供給孔周囲部１７０ａと、水供給孔周囲部１７０ｂと、排出孔周囲部１７０ｃとを有する。湯供給孔周囲部１７０ａは、湯供給孔８０の周囲に形成されている。水供給孔周囲部１７０ｂは、水供給孔８２の周囲に形成されている。排出孔周囲部１７０ｃは、排出孔８４の周囲に形成されている。
【００８８】  湯供給孔周囲部１７０ａは、底面１７２と側面１７４とを有する。底面１７２は、湯孔シール部６４ａの上端面に接触している。側面１７４は、湯孔シール部６４ａの側面に接触している。水導入孔周囲部１７０ｂは、底面１７６と側面１７８とを有する。底面１７６は、水孔シール部６４ｂの上端面に接触している。側面１７８は、水孔シール部６４ｂの側面に接触している。吐出孔周囲部１７０ｃは、底面１８０と側面１８２とを有する。底面１８０は、排出孔シール部６４ｃの上端面に接触している。側面１８２は、排出孔シール部６４ｃの側面に接触している。
【００８９】  固定弁シール部材６６は、固定弁体６２の外周面に配置されている。図１２が示すように、固定弁体６２には、固定弁シール部材６６が装着される段差部１８４が設けられている。この段差部１８４は、固定弁体６２の外周面の下部に設けられている。段差部１８４は、外周面１１０よりも半径が小さい円周面を構成している。この段差部１８４に固定弁シール部材６６が装着されている。固定弁シール部材６６は、固定弁体６２と下ケース２６８との間をシールしている。固定弁シール部材６６は、固定弁体６２の段差部１８４と、下ケース２６８の外周壁部７５の内周面７５ａとの間をシールしている。
【００９０】  なお、下ケース２６８は、外周壁部７５を有していなくても良い。この場合、例えば、固定弁シール部材６６は、固定弁体６２の下面に配置されうる。ただしこの場合、固定弁シール部材６６とインナーシール部材６４とでシール圧が分散し、シール部材６４，６６におけるシール性が減退しうる。また、外周壁部７５を設けることで、固定弁シール部材６６におけるシール圧を抑制することができ、押し上げ効果（後述）が維持される。これらの観点から、下ケース２６８が外周壁部７５を有するのが好ましく、固定弁シール部材６６が固定弁体６２の側面と外周壁部７５との間をシールしているのがより好ましい。
【００９１】  図１９が示すように、下ケース２６８は、排水路ｄ２を有する。排水路ｄ２は、下ケース２６８を貫通する貫通孔である。排水路ｄ２は、第１部分ｄ２１と、第２部分ｄ２２とを有する。第１部分ｄ２１は、上下方向に延びている。第２部分ｄ２２は、第１部分ｄ２１とは異なる向きに延びている。第２部分ｄ２２は、水平方向に延びている。
【００９２】  排水路ｄ２は、入口２８６と出口２８８とを有する。入口２８６は、第１部分ｄ２１の上流側の端部に形成されている。出口２８８は、第２部分ｄ２２の下流側の端部に形成されている。入口２８６は、平面ＰＬ５に設けられている。入口２８６は、隙間部ｇ１に面している（図１２参照）。なお、見やすさの観点から、図１２では、入口２８６の近傍の線が削除されている。
【００９３】  図１３が示すように、下シール部材６７は、外周シール部材１９０と、湯導入孔シール部材１９２と、水導入孔シール部材１９４とを有する。図１２が示すように、外周シール部材１９０は、側面壁部１２ａと下ケース２６８との間をシールしている。湯導入孔シール部材１９２は、湯導入孔７０の入口開口の周囲に配置される（図９参照）。水導入孔シール部材１９４は、水導入孔７２の入口開口の周囲に配置される。
【００９４】  図１２が示すように、固定弁体６２と下ケース２６８との間に、隙間部ｇ１が形成されている。隙間部ｇ１は、固定弁体６２の下面と下ケース２６８の上面との間に設けられている。図１５が示すように、固定弁体６２の下面は、平面ＰＬ４を有している。図１６及び図１７が示すように、下ケース２６８の上面は、平面ＰＬ５を有している。平面ＰＬ５は、平面ＰＬ４に対向している。隙間部ｇ１は、平面ＰＬ４と平面ＰＬ５との間の空間を含む。排水路ｄ２の入口２８６は、平面ＰＬ５に設けられている（図１６参照）。入口２８６は、隙間部ｇ１に面している。入口２８６において、排水路ｄ２は、隙間部ｇ１に繋がっている。
【００９５】  インナーシール部材６４は、隙間部ｇ１の形成に寄与している。インナーシール部材６４は、固定弁体６２と下ケース２６８とに挟まれて圧縮されている。この圧縮は、弾性変形である。この弾性変形に伴う反力は、隙間部ｇ１を拡げる方向に作用している。
【００９６】  インナーシール部材６４は、隙間部ｇ１に面している。図１２に示されるように、排出孔シール部６４ｃは隙間部ｇ１に面している。排出孔シール部６４ｃの外面が、隙間部ｇ１に面している。図１２では示されていないが、湯孔シール部６４ａも隙間部ｇ１に面しており、水孔シール部６４ｂも隙間部ｇ１に面している。湯孔シール部６４ａからの漏れ水は、隙間部ｇ１に流れ込む。水孔シール部６４ｂからの漏れ水は、隙間部ｇ１に流れ込む。
【００９７】  排水路ｄ２は、隙間部ｇ１に繋がっている。漏れ水は、隙間部ｇ１から排水路ｄ２へと流れうる。排水路ｄ２の出口２８８は、吐出孔７４に連通している。排水路ｄ２は、吐出孔７４から下流に延びる水路に繋がっている。出口２８８を出た漏れ水は、吐出孔７４を出た水と同じく、吐出部１６を経て吐水口３２から排出される。
【００９８】  排水路ｄ２には、リリーフ弁ｖ２が設けられている（図１３参照）。
【００９９】  図１３がよく示すように、リリーフ弁ｖ２は、弁軸３００、シール部材３０２及び弾性体３０４を有する。弁軸３００は、ピンである。シール部材３０２は、Ｏリングである。弾性体３０４は、板バネである。
【０１００】  弁軸３００は、頭部３００ａと、軸部３００ｂとを有する。頭部３００ａの幅は、軸部３００ｂの外径よりも大きい。
【０１０１】  弁軸３００は、第２部分ｄ２２に挿入されている。図１９が示すように、第２部分ｄ２２のうち、出口２８８側の部分は、内径が大きくなっている。この部分に、弁軸３００の軸部３００ｂが挿入されている（図１２参照）。
【０１０２】  図１２が示すように、弁軸３００は、横向きに挿入されている。弁軸３００は、その長手方向が水平な状態で配置されている。軸部３００ｂの延在方向は、水平である。軸部３００ｂの延在方向は、第２部分ｄ２２の延在方向に沿っている。頭部３００ａは、排水路ｄ２に挿入されず、排水路ｄ２の外側に位置する。
【０１０３】  リリーフ弁ｖ２では、シール部材３０２が、出口２８８の周囲の当接面３１０と頭部３００ａとの間に位置する。弾性体３０４は、頭部３００ａを出口２８８側に常時押圧している。弾性体３０４は、常時、弁軸３００を挿入側に付勢している。この付勢により、シール部材３０２は、当接面３１０と頭部３００ａとに押し付けられている。シール部材３０２は当接面３１０及び頭部３００ａに密着している。この密着により、リリーフ弁ｖ２は閉じられている。
【０１０４】  前述の通り、インナーシール部材６４からの水漏れが生じうる。水漏れは、主として、内部水圧が高い湯孔シール部６４ａ及び水孔シール部６４ｂから生じる。固定弁シール部材６６により、隙間部ｇ１は密閉されている。隙間部ｇ１に流出する漏れ水が増加すると、隙間部ｇ１における圧力（水圧）は上昇する。隙間部ｇ１における圧力は、リリーフ弁ｖ２の受圧面に作用する。本実施形態では、この受圧面は、弁軸３００の先端部の表面である。この受圧面が受ける力（引き抜き方向の力）が、弾性体３０４の付勢力（挿入方向の力）を超えると、弁軸３００が引き抜き方向（図１２における左側）に移動し、シール部材３０２における上記密着が解除される。すなわち、リリーフ弁ｖ２の受圧面が受ける力が、弾性体３０４の付勢力を超えると、リリーフ弁ｖ２が開く。リリーフ弁ｖ２が開くと、漏れ水が排水路ｄ２を通過し、吐水口３２から排出される。この排出により、隙間部ｇ１内の圧力が下がると、再びリリーフ弁ｖ２は閉じる。
【０１０５】  図２０（ａ）は固定弁シール部材６６の斜視図であり、図２０（ｂ）は固定弁シール部材６６の側面図であり、図２０（ｃ）は図２０（ｂ）のｃ−ｃ線に沿った断面図である。
【０１０６】  固定弁シール部材６６は、環状である。本実施形態では、固定弁シール部材６６は、リップパッキンである。隙間部ｇ１からの水圧により、固定弁シール部材６６は変形する。この変形により、シール性が高まる。
【０１０７】  以上に説明されたように、第１実施形態及び第２実施形態では、固定弁シール部材６６が下ケース６８，２６８と固定弁体６２との間をシールしている。このシールにより、隙間部ｇ１は、排水路の入口以外は、密閉されている。更に、排水路にリリーフ弁が設けられ、このリリーフ弁が閉じることで、隙間部ｇ１は密閉された状態となる。
【０１０８】  インナーシール部材６４は隙間部ｇ１に面しており、インナーシール部材６４からの漏れ水は隙間部ｇ１に流れ込む。隙間部ｇ１の内圧がリリーフ弁を開放しうる値まで上昇すると、リリーフ弁が開く。漏れ水は、排水路を通って吐水口３２から排出される。漏れ水は、排水路に流入し、吐水口３２から排出される。漏れ水が、レバーハンドルの下側から水栓の外部に溢れ出し、水栓根元部に溜まる事態は生じない。よって漏れ水が水栓根元部を腐食させることがない。
【０１０９】  隙間部ｇ１の内圧が所定値以下になると、リリーフ弁が閉じる。リリーフ弁は、所定の限界値まで隙間部ｇ１の内圧を上昇させる。この内圧の上昇により、後述の内圧押し上げ効果及び圧力差低減効果が奏される。リリーフ弁は逆止弁としても機能し、吐出孔からの逆流を防止する。
【０１１０】  インナーシール部材６４は、固定弁体６２と下ケース６８，２６８とで挟まれて圧縮されている。隙間部ｇ１を設けることで、インナーシール部材６４と固定弁体６２との間の接触圧、及び、インナーシール部材６４と下ケース６８，２６８との間の接触圧が増大されうる。よって、インナーシール部材６４からの水漏れが抑制される。
【０１１１】  インナーシール部材６４は、固定弁体６２と下ケース６８，２６８とで挟まれて圧縮されている。この圧縮の反力は、固定弁体６２を上側に押し上げている。この押し上げより、固定弁体６２と可動弁体６０との間の接触圧が高まる。すなわち、第１摺動面ＰＬ１と第２摺動面ＰＬ２との間の接触圧が高まる。よって、摺動合わせ面からの水漏れが抑制される（押し上げ効果）。
【０１１２】  隙間部ｇ１の内圧は、固定弁体６２を上方に押し上げる。この押し上げより、固定弁体６２と可動弁体６０との間の接触圧が高まる。よって、摺動合わせ面からの水漏れが抑制される（内圧押し上げ効果）。
【０１１３】  隙間部ｇ１の内圧が過大となると、固定弁体６２を押し上げる力が過大となり、固定弁体６２と可動弁体６０との間の摺動抵抗が増大する。この場合、レバーハンドル１４の操作抵抗が増大し、リンギングも起こりやすくなる。リリーフ弁を設けて隙間部ｇ１の内圧を制御することで、固定弁体６２を押し上げる力が過大となることが防止される。
【０１１４】  隙間部ｇ１は、インナーシール部材６４の外側の空間である。隙間部ｇ１の内圧は、インナーシール部材６４の外側での圧力である。隙間部ｇ１の内圧が高くなると、インナーシール部材６４の内圧（水圧）と外圧との間の差が小さくなる。このため、インナーシール部材６４からの水漏れが抑制される（圧力差低減効果）。
【０１１５】  隙間部ｇ１の内圧は、リリーフ弁によって制御されている。すなわち、隙間部ｇ１の内圧が所定値を超えると、リリーフ弁ｖ１，ｖ２が開く。隙間部ｇ１の内圧の上限値は限定されている。このため、固定弁シール部材６６のシール性を低く設定することができる。結果として、固定弁シール部材６６の選択の自由度が高まり、固定弁シール部材６６としてリップパッキンを用いることも可能となる。
【０１１６】  固定弁シール部材６６に高いシール性が要求される場合、固定弁シール部材６６には高いシール圧が付与される。例えば、固定弁シール部材６６がＯリングとされ、このＯリングの圧縮変形量が大きくされる。しかしこの高いシール圧は、固定弁体６２への押し上げ力を減少させ、上記押し上げ効果を減退させる。しかし、固定弁シール部材６６におけるシール圧を低く設定することができるので、上記押し上げ効果が維持される。
【０１１７】  第１実施形態のバルブ組立体３８では、排水路ｄ１が一方向に延在しているので、排水路ｄ１の成形が容易であるとの利点がある（図１０参照）。
【０１１８】  これに対して、第２実施形態のバルブ組立体２３８では、第１部分ｄ２１と第２部分ｄ２２とが設けられているので、入口２８６及び出口２８８の位置の自由度が高い。特に、入口２８６の位置の自由度が高いことは効果的である。下ケース２６８の上面において、入口２８６を設けることができる領域は限定されている（図１６参照）。この限られた領域に入口２８６を設けることができる。第２実施形態では、入口２８６が下ケース２６８の中央に位置する。この場合、入口２８６は、湯孔シール部６４ａ、水孔シール部６４ｂ及び排出孔シール部６４ｃのいずれからも近い。このため、隙間部ｇ１における漏れ水の滞留が抑制され、漏れ水の排出が円滑になされうる。
【０１１９】  第２実施形態のバルブ組立体２３８では、第１部分ｄ２１と第２部分ｄ２２とが設けられており、第２部分ｄ２２にリリーフ弁ｖ２が設置されている。この構成では、第１部分ｄ２１の延在方向に拘束されずに、第２部分ｄ２２の延在方向が決定されうる。また、第１部分ｄ２１とは別に第２部分ｄ２２を設けることで、入口２８６の位置に拘束されずに、出口２８８の位置を設定できる。第２部分ｄ２２の設計自由度が高いため、第２部分ｄ２２に配置されるリリーフ弁ｖ２の設計自由度も高まる。例えば、リリーフ弁ｖ２の寸法の自由度が高まり、受圧面積の調整も容易となる。
【０１２０】  図２１は、第３実施形態に係るバルブ組立体３３８の断面図である。このバルブ組立体３３８では、リリーフ弁ｖ２が設けられていない。リリーフ弁ｖ２が設けられていないことを除き、バルブ組立体３３８はバルブ組立体２３８と同じである。
【０１２１】  バルブ組立体３３８では、排水路ｄ２が開放されている。隙間部ｇ１は、排水路ｄ２の入口２８６以外では、密封されている。インナーシール部材６４からの漏れ水は、隙間部ｇ１から排水路ｄ２に流れ、吐水口３２から排出される。よって、上記漏れ水排出効果が奏される。
【０１２２】  このバルブ組立体３３８では、リリーフ弁を設けないので、排水路の設計自由度が高い。入口２８６及び出口２８８の位置、排水路の形状、排水路の経路などの設計自由度が高い。
【０１２３】  第１実施形態及び第２実施形態では、リリーフ弁が設けられている。リリーフ弁の構造は、上述したリリーフ弁ｖ１及びリリーフ弁ｖ２の構造に限定されない。リリーフ弁の他の構造として、排水路の出口に板バネを直接当接させる構造が例示される。この構造では、板バネが出口を塞いでおり、隙間部ｇ１の内圧が板バネの付勢力を超えると、出口が開放される。この板バネにＯリング等のシール部材が装着され、このシール部材を排水路の出口に当接させる構造であってもよい。
【０１２４】  上述の通り、固定弁シール部材６６は、環状である。固定弁シール部材６６の種類は限定されない。固定弁シール部材６６として、スクイーズパッキン及びリップパッキンが例示される。スクイーズパッキンとして、Ｏリング、角リング、Ｄリング、Ｘリング、Ｔリング等が挙げられる。リップパッキンとして、Ｕパッキン、Ｖパッキン、Ｙパッキン、Ｌパッキン、Ｊパッキン等が挙げられる。なお、固定弁シール部材６６は、リップパッキンとして例示された上記種類のいずれにも該当しないが、その技術思想はＵパッキンに近い。
【０１２５】  図１１及び図２０が示すように、固定弁シール部材６６の外周面は、外周斜面部６６ａを有する。固定弁シール部材６６の内周面は、内周斜面部６６ｂを有する。外周斜面部６６ａは、固定弁シール部材６６の軸方向における一方側にいくにつれて拡径している。内周斜面部６６ｂは、固定弁シール部材６６の軸方向における一方側にいくにつれて拡径している。図２及び図１２が示すように、固定弁シール部材６６は、前記一方側が下側となるように配置されている。固定弁シール部材６６は、内周斜面部６６ｂが下向きとなるように配置されている。固定弁シール部材６６は、内周斜面部６６ｂが隙間部ｇ１に面するように配置されている。
【０１２６】  隙間部ｇ１の内圧が高まると、内周斜面部６６ｂが受圧する。この受圧により、固定弁シール部材６６が変形し、外周斜面部６６ａが径方向外側へと膨らむ。この変形により、固定弁シール部材６６におけるシール面積が増大し、シール圧も増大する。結果として、固定弁シール部材６６によるシール性が高まる。
【０１２７】  このように、受圧により変形してシール性を高めうる環状のシール部材が、リップパッキンと称されている。固定弁シール部材６６として、リップパッキンが好ましい。このリップパッキンは、隙間部ｇ１の内圧により変形してシール性が高まるように配置されるのが好ましい。
【０１２８】  リップパッキンは、シール圧が小さい。このため、リップパッキンは、シール圧が高いパッキンに比べて、固定弁体６２の押し上げを阻害しない。固定弁シール部材６６がリップパッキンとされることで、上述の押し上げ効果が維持されうる。
【０１２９】  インナーシール部材６４の材質として、樹脂及びゴム（弾性ゴム）が例示される。シール性の観点から、ゴムが好ましい。上記実施形態では、ゴムが用いられた。
【０１３０】  下ケース６８，２６８の材質として、樹脂（繊維強化樹脂を含む）及び金属が例示される。インナーシール部材６４におけるシール性の観点から、剛性及び強度に優れた材質が好ましい。この観点から、繊維強化樹脂が好ましく、ガラス繊維強化樹脂がより好ましい。上記実施形態では、ガラス繊維強化ＰＰＳ樹脂が用いられた。
【０１３１】  上述した実施形態に関して、以下の付記を開示する。［付記１］  湯供給孔、水供給孔及び排出孔を有する固定弁体と、  流路形成凹部を有しており、前記固定弁体上を摺動する可動弁体と、  前記固定弁体の下側に配置され、湯導入孔、水導入孔及び吐出孔を有する下ケースと、  前記固定弁体と前記下ケースとの間において、前記湯供給孔と前記湯導入孔との間、前記水供給孔と前記水導入孔との間、及び、前記排出孔と前記吐出孔との間をシールするインナーシール部材と、  前記固定弁体と前記下ケースとの間に形成された隙間部と、  前記固定弁体と前記下ケースとの間をシールする固定弁シール部材と、  を備えており、  前記下ケースが、前記隙間部と前記吐出孔との間を連通する排水路を有している湯水混合栓。［付記２］  前記隙間部の圧力が所定値以下であると前記排水路を閉塞し、前記隙間部の圧力が所定値を超えると前記排水路を解放するリリーフ弁が更に設けられている付記１に記載の湯水混合栓。［付記３］  前記排水路が、前記下ケースを上下方向に貫通しており、  前記リリーフ弁が、前記排水路の延在方向に沿って上下方向に動くように設けられている付記２に記載の湯水混合栓。［付記４］  前記排水路が、前記隙間部に面する入口と、前記入口から延びる第１部分と、前記第１部分とは異なる向きに延びる第２部分とを有しており、  前記リリーフ弁が、前記第２部分の延在方向に沿って動くように設けられている付記２に記載の湯水混合栓。［付記５］  前記固定弁シール部材がリップパッキンである付記１から４のいずれか１項に記載の湯水混合栓。［付記６］  湯供給孔、水供給孔及び排出孔を有する固定弁体と、  流路形成凹部を有しており、前記固定弁体上を摺動する可動弁体と、  前記固定弁体の下側に配置され、湯導入孔、水導入孔及び吐出孔を有する下ケースと、  前記固定弁体と前記下ケースとの間において、前記湯供給孔と前記湯導入孔との間、前記水供給孔と前記水導入孔との間、及び、前記排出孔と前記吐出孔との間をシールするインナーシール部材と、  前記固定弁体と前記下ケースとの間に形成された隙間部と、  前記固定弁体と前記下ケースとの間をシールするリップパッキンと、  を備えている湯水混合栓。
【０１３２】  本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【０１３３】  上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【符号の説明】
【０１３４】  １０・・・湯水混合栓  １４・・・レバーハンドル  １６・・・吐出部  １８・・・湯導入管  ２０・・・水導入管  ２２・・・吐出管  ３８、２３８、３３８・・・バルブ組立体  ４０・・・移動体  ４２・・・上ケース  ４４・・・回動体  ４６・・・レバー  ６０・・・可動弁体  ６２・・・固定弁体  ６４・・・インナーシール部材  ６６・・・固定弁シール部材  ６８・・・下ケース  ８０・・・湯供給孔  ８２・・・水供給孔  ８４・・・排出孔  ８６・・・可動弁体の上側部材  ８８・・・可動弁体の下側部材  ９４・・・流路形成凹部  ｇ１・・・隙間部  ｖ１、ｖ２・・・リリーフ弁  ｄ１、ｄ２・・・排水路  ｄ２１・・・排水路の第１部分  ｄ２２・・・排水路の第２部分 
【図１】
2020059031.tif 000003
【図２】
2020059031.tif 000004
【図３】
2020059031.tif 000005
【図４】
2020059031.tif 000006
【図５】
2020059031.tif 000007
【図６】
2020059031.tif 000008
【図７】
2020059031.tif 000009
【図８】
2020059031.tif 000010
【図９】
2020059031.tif 000011
【図１０】
2020059031.tif 000012
【図１１】
2020059031.tif 000013
【図１２】
2020059031.tif 000014
【図１３】
2020059031.tif 000015
【図１４】
2020059031.tif 000016
【図１５】
2020059031.tif 000017
【図１６】
2020059031.tif 000018
【図１７】
2020059031.tif 000019
【図１８】
2020059031.tif 000020
【図１９】
2020059031.tif 000021
【図２０】
2020059031.tif 000022
【図２１】
2020059031.tif 000023
【手続補正書】
【提出日】平成31年1月9日(2019.1.9)
【手続補正１】
【補正対象書類名】特許請求の範囲
【補正対象項目名】全文
【補正方法】変更
【補正の内容】
【特許請求の範囲】
【請求項１】
湯供給孔、水供給孔及び排出孔を有する固定弁体と、
流路形成凹部を有しており、前記固定弁体上を摺動する可動弁体と、
前記固定弁体の下側に配置され、湯導入孔、水導入孔及び吐出孔を有する下ケースと、
前記固定弁体と前記下ケースとの間において、前記湯供給孔と前記湯導入孔との間、前記水供給孔と前記水導入孔との間、及び、前記排出孔と前記吐出孔との間をシールするインナーシール部材と、
前記固定弁体と前記下ケースとの間に形成された隙間部と、
前記固定弁体と前記下ケースとの間をシールする固定弁シール部材と、
を備えており、
前記下ケースが、前記隙間部と前記吐出孔との間を連通する排水路を有している湯水混合栓。
【請求項２】
前記隙間部の圧力が所定値以下であると前記排水路を閉塞し、前記隙間部の圧力が所定値を超えると前記排水路を解放するリリーフ弁が更に設けられている請求項１に記載の湯水混合栓。
【請求項３】
前記排水路が、前記下ケースを上下方向に貫通しており、
前記リリーフ弁が、前記排水路の延在方向に沿って上下方向に動くように設けられている請求項２に記載の湯水混合栓。
【請求項４】
前記排水路が、前記隙間部に面する入口と、前記入口から延びる第１部分と、前記第１部分とは異なる向きに延びる第２部分とを有しており、
前記リリーフ弁が、前記第２部分の延在方向に沿って動くように設けられている請求項２に記載の湯水混合栓。
【請求項５】
前記固定弁シール部材がリップパッキンである請求項１から４のいずれか１項に記載の湯水混合栓。
【請求項６】
湯供給孔、水供給孔及び排出孔を有する固定弁体と、
流路形成凹部を有しており、前記固定弁体上を摺動する可動弁体と、
前記固定弁体の下側に配置され、湯導入孔、水導入孔及び吐出孔を有する下ケースと、
前記固定弁体と前記下ケースとの間において、前記湯供給孔と前記湯導入孔との間、前記水供給孔と前記水導入孔との間、及び、前記排出孔と前記吐出孔との間をシールするインナーシール部材と、
前記固定弁体と前記下ケースとの間に形成された隙間部と、
前記固定弁体と前記下ケースとの間をシールするリップパッキンと、
を備えており、
前記リップパッキンは、前記隙間部の内圧により変形してシール性が高まるように配置されている湯水混合栓。
【請求項７】
前記リップパッキンが、前記固定弁体の外周面に配置されている請求項５又は６に記載の湯水混合栓。
【請求項８】
前記リップパッキンの外周面が、外周斜面部を有しており、
前記リップパッキンの内周面は、内周斜面部を有しており、
前記外周斜面部は、前記リップパッキンの軸方向における一方側にいくにつれて拡径しており、
前記内周斜面部は、前記リップパッキンの軸方向における一方側にいくにつれて拡径しており、
前記リップパッキンは、前記一方側が下側となり、且つ、前記内周斜面部が前記隙間部に面するように配置されている請求項７に記載の湯水混合栓。
【請求項９】
前記隙間部の内圧が高まると、前記内周斜面部が受圧し、この受圧により、前記外周斜面部が径方向外側へと膨らむ請求項８に記載の湯水混合栓。
【手続補正書】
【提出日】令和3年2月1日(2021.2.1)
【手続補正１】
【補正対象書類名】特許請求の範囲
【補正対象項目名】全文
【補正方法】変更
【補正の内容】
【特許請求の範囲】
【請求項１】
湯供給孔、水供給孔及び排出孔を有する固定弁体と、
流路形成凹部を有しており、前記固定弁体上を摺動する可動弁体と、
前記固定弁体の下側に配置され、湯導入孔、水導入孔及び吐出孔を有する下ケースと、
前記固定弁体と前記下ケースとの間において、前記湯供給孔と前記湯導入孔との間、前記水供給孔と前記水導入孔との間、及び、前記排出孔と前記吐出孔との間をシールするインナーシール部材と、
前記固定弁体と前記下ケースとの間に形成された隙間部と、
前記固定弁体と前記下ケースとの間をシールする固定弁シール部材と、
を備えており、
前記下ケースが、前記隙間部と前記吐出孔との間を連通する排水路を有しており、
前記隙間部の圧力が所定値以下であると前記排水路を閉塞し、前記隙間部の圧力が所定値を超えると前記排水路を解放するリリーフ弁が更に設けられている湯水混合栓。
【請求項２】
前記排水路が、前記下ケースを上下方向に貫通しており、
前記リリーフ弁が、前記排水路の延在方向に沿って上下方向に動くように設けられている請求項１に記載の湯水混合栓。
【請求項３】
前記排水路が、前記隙間部に面する入口と、前記入口から延びる第１部分と、前記第１部分とは異なる向きに延びる第２部分とを有しており、
前記リリーフ弁が、前記第２部分の延在方向に沿って動くように設けられている請求項１に記載の湯水混合栓。
【請求項４】
前記固定弁シール部材がリップパッキンである請求項１から３のいずれか１項に記載の湯水混合栓。
【請求項５】
前記リップパッキンが、前記固定弁体の外周面に配置されている請求項４に記載の湯水混合栓。
【請求項６】
湯供給孔、水供給孔及び排出孔を有する固定弁体と、
流路形成凹部を有しており、前記固定弁体上を摺動する可動弁体と、
前記固定弁体の下側に配置され、湯導入孔、水導入孔及び吐出孔を有する下ケースと、
前記固定弁体と前記下ケースとの間において、前記湯供給孔と前記湯導入孔との間、前記水供給孔と前記水導入孔との間、及び、前記排出孔と前記吐出孔との間をシールするインナーシール部材と、
前記固定弁体と前記下ケースとの間に形成された隙間部と、
前記固定弁体と前記下ケースとの間をシールするリップパッキンと、
を備えており、
前記リップパッキンは、前記隙間部の内圧により変形してシール性が高まるように配置されており、
前記リップパッキンが、前記固定弁体の外周面に配置されており、
前記リップパッキンの外周面が、外周斜面部を有しており、
前記リップパッキンの内周面は、内周斜面部を有しており、
前記外周斜面部は、前記リップパッキンの軸方向における一方側にいくにつれて拡径しており、
前記内周斜面部は、前記リップパッキンの軸方向における一方側にいくにつれて拡径しており、
前記リップパッキンは、前記一方側が下側となり、且つ、前記内周斜面部が前記隙間部に面するように配置されている湯水混合栓。
【請求項７】
前記隙間部の内圧が高まると、前記内周斜面部が受圧し、この受圧により、前記外周斜面部が径方向外側へと膨らむ請求項６に記載の湯水混合栓。
【国際調査報告】
2020059031.tif 000024
2020059031.tif 000025
2020059031.tif 000026
2020059031.tif 000027